(57)【要約】発光装飾装置は、透明導電層と、蛍光層と、互いに電気的に分離された第１及び第２電極層を備えたシート状の発光部材を含み、電気接続部は、前記発光部材の第１および第２電極層に設けられ、導線は、前記各電気接続部を貫通する。
2006520617.tif 000002
【特許請求の範囲】
【請求項１】
透明導電層と、蛍光層と、互いに電気的に分離された第１電極層及び第２電極層と、を備えたシート状の発光部材を含み、
電気接続部は、前記発光部材の第１および第２電極層に設けられ、導線は、前記各電気接続部を貫通することを特徴とする発光装飾装置。
【請求項２】
前記第２電極層は、前記透明導電層に接触することを特徴とする請求項１に記載の発光装飾装置。
【請求項３】
前記蛍光層は、前記透明導電層と第１電極層との間に介在され、前記透明導電層は、前記蛍光層及び前記第１電極層が形成されてない領域で露出され、前記第２電極層は、前記透明導電層の露出部分を覆い、前記電極層と電気的に分離されることを特徴とする請求項２に記載の発光装飾装置。
【請求項４】
前記蛍光層は、前記第１電極層と前記透明伝導層との間及び前記第２電極層と前記透明伝導層との間に延長されることを特徴とする請求項１に記載の発光装飾装置。
【請求項５】
前記各電気接続部に電力を供給する電線をさらに備えており、前記電線は、二つの導線を備えることを特徴とする請求項１ないし４のいずれか一項に記載の発光装飾装置。
【請求項６】
前記各電気接続部に連結された二つの接続ピンを有するコネクターをさらに備えており、前記電線の二つの導線は、コネクターに分離自在に結合されることを特徴とする請求項５に記載の発光装飾装置。
【請求項７】
前記接続部に連結され、前記発光部材を貫通する第１及び第２接続リングをさらに含み、前記コネクターの二つの接続ピンは、前記第１及び第２接続リングにそれぞれ挿入されることを特徴とする請求項６に記載の発光装飾装置。
【請求項８】
前記発光部材の光発散面の反対側には、防湿層がさらに備わることを特徴とする請求項１ないし４のいずれか一項に記載の発光装飾装置。
【請求項９】
前記発光部材の光発散面には、前記発光部材の光発散面には、印刷層がさらに備わり、前記印刷層には、形状が印刷されることを特徴とする請求項１ないし４のいずれか一項に記載の発光装飾装置。
【請求項１０】
前記第１電極層または第２電極層が外部に露出されないように、前記第１電極層または第２電極層の外端部を覆う層をさらに含むことを特徴とする請求項１ないし４のいずれか一項に記載の発光装飾装置。
【請求項１１】
前記発光部材は、中央部と、該中央部から放射状に延長された多数の延長部と、を備えて花状をなしており、
前記電気接続部は、前記中央部に設けられることを特徴とする請求項１ないし４のいずれか一項に記載の発光装飾装置。
【請求項１２】
支持部材と、固定部材と、を備える結合機構をさらに含み、
前記発光部材は、前記支持部材と前記固定部材との間に介在され、
前記支持部材及び前記固定部材は、分離自在に結合され、
前記結合機構は、前記電気接続部を覆うことを特徴とする請求項１１に記載の発光装飾装置。
【請求項１３】
前記電線が分離自在に固定されるベースをさらに含むことを特徴とする請求項５ないし１１のいずれか一項に記載の発光装飾装置。
【請求項１４】
前記ベースは、前記電線が挿入・固定される挿入穴を備えることを特徴とする請求項１３に記載の発光装飾装置。
【請求項１５】
前記ベースは、コネクターを有する回路基板を備えており、前記電線の二つの導線は、前記回路基板のコネクターに連結されることを特徴とする請求項１４に記載の発光装飾装置。
【請求項１６】
前記電線を通して電力を供給する回路装置をさらに含み、前記回路装置は、各電線に対応する多数のインバータ素子を備えることを特徴とする請求項５に記載の発光装飾装置。
【請求項１７】
前記電線を通して電力を供給する回路装置をさらに含み、前記電線は、一つ以上の電線を有するグループに分けられ、前記各グループには、別途の電源供給装置が設けられることを特徴とする請求項５に記載の発光装飾装置。
【請求項１８】
ＥＬシートからなる発光部材と、
前記ＥＬシートに電力を供給するために用いられる電線と、を含み、
前記電線は、二つの導線と、該二つの導線を覆う絶縁被覆と、を備えており、
前記絶縁被覆には、前記二つの導線を連結するために連結通路が設けられることを特徴とする発光装飾装置。
【請求項１９】
前記連結通路を通して前記電線に連結される枝電線をさらに備えることを特徴とする請求項１８に記載の発光装飾装置。
【請求項２０】
発光部材の製造方法において、
透明電極層を準備する段階と、
前記透明電極層の第１領域が露出されるように、前記透明電極層の前記第１領域を除いた前記透明電極層上に蛍光層を形成する段階と、
露出された前記透明電極層が継続して露出されるように、前記第１領域を除いた前記蛍光層上に誘電体層を形成する段階と、
露出された前記透明電極層が継続して露出されるように、前記第１領域を除いた前記誘電体層上に第１電極層を形成する段階と、
前記第１電極層の形成と同時に、または、その前後に、露出された透明電極層を覆い、第１電極層と離隔される第２電極層を形成する段階と、を含むことを特徴とする発光部材の製造方法。
【請求項２１】
前記第１電極層上に防湿層を形成する段階をさらに含むことを特徴とする請求項２０に記載の発光部材の製造方法。
【請求項２２】
前記防湿層は、前記電極層の第２領域が露出されるように、前記下部電極層の第２領域を除いて形成されることを特徴とする請求項２１に記載の発光部材の製造方法。
【請求項２３】
前記電極層を形成する段階では、誘電体層の第３領域が露出されるように電極層を形成し、前記第３領域より小さい貫通穴を形成する段階をさらに含むことを特徴とする請求項２２に記載の発光部材の製造方法。
【請求項２４】
前記透明電極層上に所望の形状を印刷することによって印刷層を形成する段階をさらに含むことを特徴とする請求項２０ないし２３のいずれか一項に記載の発光部材の製造方法。
【請求項２５】
前記印刷層上に光沢層を形成する段階をさらに含むことを特徴とする請求項２４に記載の発光部材の製造方法。
【請求項２６】
前記第１電極層の外端部は、他の層によって覆われることを特徴とする請求項２０に記載の発光部材の製造方法。
【請求項２７】
中央部と、多数の延長部と、を有するＥＬシートからなって花状をなす発光部材と、
前記ＥＬシートに連結される茎状の電線と、
前記電線を通して前記ＥＬシートに電源を供給する電源供給装置と、を含むことを特徴とする装飾装置。
【請求項２８】
前記電源供給装置から電源を受ける葉状のＥＬシートをさらに含むことを特徴とする請求項２７に記載の装飾装置。
【発明の詳細な説明】
【技術分野】
【０００１】
本発明は、発光装飾装置に関するもので、詳しくは、ＥＬシートを用いた発光装飾装置に関するものである。
【背景技術】
【０００２】
ＥＬシートは、有機フィルムまたは線状構造物に蛍光体を塗布することで形成される。このＥＬシートにＡＣ電圧が印加されると、電場が蛍光体の迅速な充電及び放電を引き起こし、各循環過程で光の発光をもたらす。上記の現象をＥＬ(Electro  Luminescence)といい、ＥＬ特性を有する薄くて軽いシートをＥＬシートという。ＥＬシートは、多様な形状に形成されるため、電子機器のバックライトまたは信号板として広く用いられている。
【発明の開示】
【発明の詳細な説明】
【０００３】
本発明の目的は、ＥＬシートを用いて形成された多様な形状を有する発光装飾装置を提供することにある。本発明の他の目的は、ＥＬシートを用いて形成された多様な形状を有する発光部材を提供することにある。
【０００４】
本発明のさらに他の目的は、ＥＬシートを用いて形成された多様な形状を有する発光部材の製造方法を提供することにある。本発明のさらに他の目的は、多様な装飾形状を得るように、多数の電線がＥＬシートに連結される構造を提供することにある。本発明のさらに他の目的は、ＥＬシートを用いた発光部材と電線とが単純にかつ堅固に結合される結合構造を提供することにある。
【０００５】
本発明のさらに他の目的は、発光装飾装置に多様な形式で連結される電線を提供することにある。
【０００６】
本発明の一側面によると、透明導電層と、蛍光層と、互いに電気的に分離された第１電極層及び第２電極層と、を備えたシート状の発光部材を含み、電気接続部は、前記発光部材の第１および第２電極層に設けられ、導線は、前記各電気接続部を貫通する発光装飾装置が提供される。
【０００７】
前記第２電極層は、前記透明導電層に接触する。
【０００８】
前記蛍光層は、前記透明導電層と第１電極層との間に介在され、前記透明導電層は、前記蛍光層及び前記第１電極層が形成されてない領域で露出され、前記第２電極層は、前記透明導電層の露出部分を覆い、前記電極層と電気的に分離される。前記蛍光層は、前記第１電極層と前記透明伝導層との間及び前記第２電極層と前記透明伝導層との間に延長される。
【０００９】
前記発光装飾装置は、前記各電気接続部に電力を供給するように、二つの電線をさらに備えている。前記発光装飾装置は、前記各電気接続部に連結された二つの接続ピンを有するコネクターをさらに備えており、前記電線の二つの導線は、コネクターに分離自在に結合される。前記発光装飾装置は、前記接続部に連結され、前記発光部材を貫通する第１及び第２接続リングをさらに含み、前記コネクターの二つの接続ピンは、前記第１及び第２接続リングにそれぞれ挿入される。
【００１０】
前記発光部材の光発散面の反対側には、防湿層がさらに備わる。前記発光部材の光発散面には、印刷層がさらに備わり、前記印刷層には、形状が印刷される。
【００１１】
前記発光装飾装置は、前記第１電極層または第２電極層が外部に露出されないように、前記第１電極層または第２電極層の外端部を覆う層をさらに含む。
【００１２】
前記発光部材は、中央部と、該中央部から放射状に延長された多数の延長部と、を備えて花状をなしており、前記電気接続部は、前記中央部に設けられる。
【００１３】
前記発光装飾装置は、支持部材と、固定部材と、を備える結合機構をさらに含み、前記発光部材は、前記支持部材と前記固定部材との間に介在され、前記支持部材及び前記固定部材は、分離自在に結合され、前記結合機構は、前記電気接続部を覆う。
【００１４】
前記発光装飾装置は、前記電線が分離自在に固定されるベースをさらに含み、前記ベースは、前記電線が挿入・固定される挿入穴を備える。前記ベースは、コネクターを有する回路基板を備えており、前記電線の二つの導線は、前記回路基板のコネクターに連結される。
【００１５】
前記発光装飾装置は、前記電線を通して電力を供給する回路装置をさらに含み、前記回路装置は、各電線に対応する多数のインバータ素子を備える。前記発光装飾装置は、前記電線を通して電力を供給する回路装置をさらに含み、前記電線は、一つ以上の電線を有するグループに分けられ、前記各グループには、別途の電源供給装置が設けられる。
【００１６】
本発明の他の側面によると、ＥＬシートからなる発光部材と、前記ＥＬシートに電力を供給するために用いられる電線と、を含み、前記電線は、二つの導線と、該二つの導線を覆う絶縁被覆と、を備えており、前記絶縁被覆には、前記二つの導線を連結するために連結通路が設けられる。前記発光装飾装置は、前記連結通路を通して前記電線に連結される枝電線をさらに備える。
【００１７】
本発明のさらに他の側面によると、発光部材の製造方法において、透明電極層を準備する段階と、前記透明電極層が第１領域で露出されるように、前記透明電極層の前記第１領域を除いた前記透明電極層上に蛍光層を形成する段階と、露出された前記透明電極層が継続して露出されるように、前記第１領域を除いた前記蛍光層上に誘電体層を形成する段階と、露出された前記透明電極層が継続して露出されるように、前記第１領域を除いた前記誘電体層上に第１電極層を形成する段階と、前記第１電極層の形成と同時に、または、その前後に、露出された透明電極層を覆い、第１電極層と離隔される第２電極層を形成する段階と、を含む発光部材の製造方法が提供される。
【００１８】
前記製造方法は、前記第１電極層上に防湿層を形成する段階をさらに含む。前記防湿層は、前記電極層の第２領域が露出されるように、前記下部電極層の第２領域を除いて形成される。前記製造方法は、前記電極層を形成する段階では、誘電体層の第３領域が露出されるように電極層を形成し、前記第３領域より小さい貫通穴を形成する段階をさらに含む。
【００１９】
前記製造方法は、前記透明電極層上に所望の形状を印刷することによって印刷層を形成する段階をさらに含む。前記製造方法は、前記印刷層上に光沢層を形成する段階をさらに含む。
【００２０】
前記第１電極層の外端部は、他の層によって覆われる。
【００２１】
本発明のさらに他の側面によると、中央部と、多数の延長部と、を有するＥＬシートからなって花状をなす発光部材と、前記ＥＬシートに連結される茎状の電線と、前記電線を通して前記ＥＬシートに電源を供給する電源供給装置と、を含む装飾装置が提供される。前記装飾装置は、前記電源供給装置から電源を受ける葉状のＥＬシートをさらに含む。
【００２２】
本発明のさらに他の側面によると、電極層を含む多数の層を有し、前記電極層は、分離線を基準に二つの領域に分離されるＥＬシートを備える発光部材を含み、前記ＥＬシートの分離された二つの領域には、ＥＬシートの各層を貫通する接続リングが固定される発光装飾装置が提供される。
【００２３】
前記発光部材は、前記ＥＬシートが外部に露出されないように、その外端部を覆う絶縁コーティング層をさらに備える。前記発光部材は、中央部と、該中央部から放射状に延長された多数の延長部と、を有する花状をなしている。
【発明を実施するための最良の形態】
【００２４】
図１は、本発明による発光装飾装置を示した斜視図である。発光装飾装置１０は、ベース２０と、発光装飾物４０と、非発光装飾物９０と、を備えている。発光装飾物４０及び非発光装飾物９０は、ベース２０上に設けられる。
【００２５】
図２の(ａ)及び(ｂ)は、図１の発光装飾装置のＡ-Ａ’及びＢ-Ｂ’線断面図である。ベース２０は、ケース２３と、このケース２３内に収容される回路基板３０と、を備えている。ここで、ケース２３は、直方体形状を有し、上部部材２４及び下部部材２７を備えている。上部部材２４は、上部板２５と、４個の側壁２６と、を備えている。ここで、上部板２４は、直方体形状を有し、４個の側壁２６は、上部板２５から下側に延長される。上部板２５には、発光装飾物４０の電線４２及び非発光装飾物９０の下端部９２が挿入される多数の第１結合部２５１及び第２結合部２５２が設けられる。第１結合部２５１は、上部板２５から上側に突出されて設けられ、発光装飾物４０の電線４２が挿入・固定される第１結合穴２５３を備えている。第１結合穴２５３は、電線４２を締結するように、電線４２の断面形状とほぼ同一の断面を有する。第１結合穴２５３の直径は、電線４２が分離自在にかつ堅固に固定される程度に決定される。貫通穴２５４は、第１結合穴２５３の下部に設けられる。電線４２の二つの導線４４は、貫通穴２５４を通過してケース２３内に入って、後述する二つのコネクター３２に連結される。キャップ２５９は、使用されてない第１結合穴２５３を覆うために用意され、第１結合穴２５３を通して水や汚染質物がケース２３内に流れることを防止する。
【００２６】
第２結合部２５２も、上部板２５から上側に突出されて設けられ、非発光装飾物９０の下端部９２が挿入・固定される第２結合穴２５５を有する。第２結合穴２５５の直径は、下端部９２が第２結合穴２５５に分離自在にかつ堅固に固定される程度に決定される。このとき、第１結合穴２５３及び第２結合穴２５５の大きさは、発光装飾物４０の電線４２及び非発光装飾物９０の下端部９２によって決定される。
【００２７】
段部２６１は、４個の側壁２６の内面の下縁部に沿って形成される。この段部２６１は、後述する下部部材２７の上端と接する。一連の突出部２６２は、段部２６１の内面に提供され、下側に行くほど細くなる。突出部２６２は、下部部材２７の側壁２９の外面に設けられた各溝２９２に係合される。側壁２６の先端は、後述する下部部材２７の側壁２９の外面の上縁部に沿って形成された段部２９１と接する。
【００２８】
下部部材２７は、底板２８と、４個の側壁２９と、を備えている。ここで、底板２８は、直方体形状を有し、４個の側壁２９は、底板２８の４個の縁部から上側に延長される。上述したように、段部２９１は、側壁２９の外面の上縁部に沿って形成される。この段部２９１は、上部部材２４の側壁２６の先端と接する。一連の溝２９２は、段部２９１の外面に設けられる。この溝２９２が各突出部２９１に係合され、上部部材２４と下部部材２７とが係合される。支持リブ２９３は、下部部材２７の側壁２９の内面に、回路基板３０を支持するために設けられる。特に、回路基板３０の縁部は、支持リブ２９３の段部２９４に設けられる。図１に示すように、電線９９は、下部部材２７の側壁２９を通過してケース２３内に入って回路基板３０に連結される。本実施形態では、電源供給用電線９９を通して１００ないし２４０ＶのＡＣ電圧が回路基板３０に供給されるが、これに制限されることはない。
【００２９】
図３は、図２の発光装飾装置の回路基板を示した斜視図である。図３に示したように、回路基板３０の上面には、二つのコネクター３２及び多数のインバータＩＣチップ１００が設置される。各インバータＩＣチップ１００は、コネクター３２に設けられた各対のピン３２２に電気的に連結されてコネクター３２にＡＣ電源を供給する。回路基板３０に装着された各コネクター３２は、長い棒状を有し、その上面には、多数の対の挿入穴３２１が配置され、その下面には、各挿入穴３２１に対応する位置に多数の対のピン３２２が配置される。コネクター３２の上面は、上部部材２４の上部板２５の下面に隣接する。各対の挿入穴３２１は、ケース２３の第１結合穴２５３の下部に形成された各貫通穴２５４と対向する。貫通穴２５４を通過した電線４２の二つの導線４４は、挿入穴３２１に挿入されて電気的に連結される。ピン３２２は、回路基板３０の結合穴３０１に挿入され、はんだ付け方法で固定される。その結果、電線４２は、コネクター３２を通して回路基板３０に電気的に連結される。多数のコネクター３２が並列に設けられ、第１結合穴２５３は、挿入穴３２１の各対に対応する。
【００３０】
本実施形態では、商用のＡＣ電源がインバータＩＣチップによって発光装飾物に供給されるが、本発明は、これに制限されるものではない。発光装飾物に電源を供給するための回路基板の他の実施形態は、図１３及び図１４に示されている。図１３に示すように、回路基板３０ｂには、アダプター回路１００ｂと、多数のインバータ回路１０１ｂと、多数のコネクター３２ｂと、が設けられる。アダプター回路１００ｂは、１００ないし２４０ＶのＡＣ電源を９〜１２ＶのＤＣ電源に変換し、各インバータ回路１０１ｂにＤＣ電源を供給する。各インバータ回路１０１ｂは、アダプター回路１００ｂ及び二つのコネクター３０ｂに連結される。各インバータ回路１０１ｂは、ＤＣ電源を発光に必要な安定したＡＣ電源に変換し、ＡＣ電源を二つのコネクター３２ｂに印加する。各コネクター３２ｂは、電線の二つの導線が挿入される一対の挿入穴３２１ｂを備えている。図示してないが、このような構成の回路基板に対応するケースは、上記の実施形態によって充分に構成できる。
【００３１】
図１４を参照すると、回路基板３０ａには、三個のコネクター３２ａと、三個のトランス１０１ａと、三個の強度調節部材１０２ａと、が設置される。回路基板３０ａのアダプター回路(図示せず)は、１００ないし２４０ＶのＡＣ電源を９〜１２ＶのＤＣ電源に変換する。各コネクター３２ａは、電線の導線が挿入される５対の挿入穴３２１ａを備えている。各トランス１０１ａは、対応するコネクター３２ａに連結される。各トランス１０１ａは、対応するコネクター３２ａにＤＣ電源を供給する。各強度調節部材１０２ａは、対応するトランス１０１ａに連結される。各強度調節部材１０２ａによってトランス１０１ａの出力が調節されることで、発光部材から出る光の強さが調節される。このような構成の回路基板に対応するケースは、上記の実施形態によって充分に構成できるものである。このように回路基板を構成することで、発光部材のグループに異なる電源を供給し、発光部材のグループから出る光の強さを個別的に調節できる。
【００３２】
上記の各実施形態では、１００ないし２４０ＶのＡＣ電源が各コネクターに供給されるが、本発明は、これに制限されるものではなく、ＡＣ電源供給部の代りに、乾電池などのＤＣ電源供給部を用いることができ、各コネクターに必要な電源供給部を構成できる。
【００３３】
前記電線及び回路基板は、コネクターによって互いに連結されたが、これに制限されるものではなく、コネクターなしに、はんだ付け方式で互いに連結されることもある。
【００３４】
再び図１を参照すると、ベース２０は、点線で示した花瓶形状の容器１５内に挿入される。
【００３５】
図４は、発光装飾装置の発光装飾物を示した分解斜視図で、図５の(ａ)及び(ｂ)は、発光部材と電線と結合機構との結合状態を示す図４のＣ-Ｃ'線及びＤ-Ｄ'線断面図である。本発明の一実施形態による発光装飾物４０は、花弁及び茎を有する花状に形成される。発光装飾物４０は、電線４２と、発光部材６０と、導線４０を発光部材６０に結合する結合機構８０と、結合機構８０と電線４２とを連結するコネクター１２０と、から構成される。ここで、発光部材６０及び電線４２は、花の花弁及び茎にそれぞれ対応し、結合機構は、花のがく及び雄蘂を示している。電線４２は、絶縁被覆４６に覆われた二つの導線４４により構成される。電線４２の両端及び絶縁被覆４６は、二つの導線４４が露出されるように剥がれている。図２に戻ると、電線４２の上端が第１結合穴２５３に挿入・固定され、導線４２の下端がコネクター１２０に挿入・固定されるため、導線４２は、予期しない外力によって抜け出ることがない。したがって、第１結合穴２５３に挿入された電線４２の二つの導線４４は、貫通穴２５４を通過してケース２３内に入り、コネクター３２の挿入穴３２１に挿入される。電線４２は、手で引き寄せるとベース２０から分離される。電線４２は、真立する程度の力を有し、弾力的に曲げられる。
【００３６】
再び図４及び図５を参照すると、電線４２の上端は、コネクター１２０に挿入される。コネクター１２０は、直方体形状の本体１２１と、この本体１２１の上面に設けられた二つの接続ピン１２２と、を備えている。二つの挿入穴(図示せず)は、本体１２１の下面に設けられ、電線４２の二つの導線４４が二つの挿入穴を通過して二つの接続ピン１２２に連結される。本体１２１は、後述する結合機構８０の支持部材８２の連結通路８３１に収容される。二つの接続ピン１２２は、発光部材６０の二つの挿入穴６１４，６１５に挿入される。コネクター１２０、発光部材６０及び支持部材８２は、はんだ付け２０２，２０４あるいはピンを曲げることによって結合される。電線４２の二つの導線４４は、発光部材６０と支持部材８２とが結合されたコネクター１２０の挿入穴(図示せず)に挿入されるか、挿入穴(図示せず)から抜け出る。このような構成により、コネクター１２０、発光部材６０及び結合機構８０からなるつぼみ部を容易に取り替えられる。
【００３７】
発光部材６０は、花弁状に形成され、円状の中央部６１と、この中央部６１から半径方向に延長された多数の延長部６２と、を備えている。中央部６１には、二つの結合用貫通穴６１２と、第１及び第２挿入穴６１４，６１５と、が備わる。ここで、二つの結合用貫通穴６１２及び第１及び第２挿入穴６１４，６１５は、二つの結合用貫通穴６１２を連結する線と第１及び第２挿入穴６１４，６１５を連結する線とが交差するように配置することが好ましい。結合機構８０は、固定部材８６をさらに備えており、固定部材８６は、結合用貫通穴６１２に挿入される挿入ボス８７を有する。第１及び第２挿入穴６１４，６１５は、図６に示すように、後述する第１及び第２接続リング２００，２１０に結合される。コネクター１２０の二つの接続ピン１２２は、第１及び第２挿入穴６１４，６１５に挿入され、はんだ付け２０２，２０４によって固定される。二つの接続ピン１２２は、はんだ付けによって固定したが、二つの接続ピン１２２を挿入し、突出部を曲げることによって固定することもできる。また、曲げた部分をはんだ付けすることもできる。
【００３８】
図８は、第１及び第２挿入穴６１４，６１５に結合する前の接続リング２００，２１０のいずれか一つを示している。以下、第１及び第２挿入穴に接続リングを結合する方法を説明する。各接続リング２００，２１０は、シリンダー２０８と、取っ手２０９を備えたフランジ部２０６と、を備えている。シリンダー２０８は、発光部材６０の挿入穴に挿入される。取っ手２０９を手で掴むことにより、シリンダー２０８は、発光部材６０の挿入穴に挿入される。次に、フランジ部２０６の反対側で焼結工程が行われると、第１及び第２接続リング２００，２１０が発光部材６０の第１及び第２挿入穴６１４，６１５に結合される。次に、取っ手２０９が取り除かれる。
【００３９】
図６は、発光部材６０と電線４０との結合部を拡大して示した断面図である。図６に示すように、発光部材６０は、ＥＬシートであり、コーティング層６８と、透明導電層(透明電極層)６４１と、蛍光層６６と、誘電体層６５と、銀などの優れた伝導性の材質からなる下部電極層６４と、防湿層７４と、を備えた積層構造を有する。蛍光層６６は、発光インクを印刷して形成される。通常、蛍光層６６は、ホスホレイヤー(Phospho  layer)ともいう。図６の矢印は、発光部材から出る光を示している。本実施形態のコーティング層６８は、ＰＥなどの透明な素材からなる。透明電極層６４１は、ＰＥＴなどのプラスチック樹脂材料にＩＴＯを蒸着してなる酸化インジウム錫(ＩＴＯ)フィルムである。このとき、図６の各層の厚さは、発光部材６０の実際の層の厚さと異なる。本発明は、上記したＥＬシートの構造に制限されるものではなく、ＥＬシートの他の構造も適用されうる。
【００４０】
図６を参照すると、発光部材６０の第１及び第２挿入穴６１４，６１５付近の積層構造は、互いに異なる。第１挿入穴６１４付近には、防湿層７４が第１接続リング２００のフランジ部２０６よりも広く取り除かれる。下部電極層６４は、防湿層７４が形成されてない領域で露出される。第１接続リング２００のフランジ部２０６が下部電極層６４の露出部と接触し、フランジ部２０６の反対側がコーキングされ、第１接続リング２００と発光部材６０とが結合されることで、第１挿入穴６１４の形成が終了される。第２挿入穴６１５付近には、防湿層７４、下部電極層６４、誘電体層６５及び蛍光層６６が第２接続リング２１０のフランジ部２０６よりも広く取り除かれる。その結果、透明電極層６４１が露出される。連結電極層７６は、露出された透明電極層６４１に形成され、銀などの伝導性に優れた材料からなる。第２接続リング２１０のフランジ部２０６が連結電極層７６の外面に接触し、フランジ部２０６の反対側がコーキングされ、第２接続リング２１０と発光部材６０とが結合されることで、第２挿入穴６１５の形成が終了される。コネクター１２０の二つの接続ピン１２２は、第１及び第２挿入穴６１４，６１５内にそれぞれ挿入され、はんだ付け２０２，２０４が施される。このような構成により、第１挿入穴６１４に挿入された一つの接続ピンは、発光部材６０の下部電極層６４に電気的に連結され、第２挿入穴６１５に挿入された他の接続ピンは、発光部材６０の透明電極層６４１に電気的に連結される。
【００４１】
図７は、二つの結合用貫通穴６１２を示すための図４の発光装飾物のＨ-Ｈ’線断面図である。結合機構８０の固定部材８６の二つの挿入ボス８７に挿入される発光部材６０の二つの結合用貫通穴６１２付近の積層構造は、発光部材８０の他の部分とやや異なる。各結合用貫通穴６１２付近には、防湿層７４及び下部電極層６４が誘電体層６５を露出するために取り除かれる。その結果、結合用貫通穴６１２を形成する間、下部電極層６４及び透明電極層６４１がつぶれることを防止し、安定的な結合を保証する。
【００４２】
再び図４及び図５を参照すると、結合機構８０は、支持部材８２と、固定部材８６と、を備えている。ここで、支持部材８２及び固定部材８６は、花のがく及び雄蘂を示している。支持部材８２は、多数のがく片状の支持部８４を備えており、結合部は、円錐台の形状を有する。多数のがく片状の支持部８４は、発光部材６０の多数の延長部６２に対応して放射状に設けられる。結合部８３は、中心部に設けられる連結通路８３１と、この連結通路８３１の両側に設けられる二つの挿入穴８２２，８３２と、を備えている。コネクター１２０は、連結通路８３１に挿入される。図５に示したように、連結通路８３１は、上部内面に突出縁部８３１１を備えている。突出縁部８３１１は、コネクター１２０が連結通路８３１を通過することを防止する機能をする。コネクター１２０の二つの接続ピンは、連結通路８３１の上部開口部を通して突出される。固定部材８６の二つの挿入ボス８７は、結合部８３の上面に設けられる二つの挿入穴８２２，８３２に圧入・挿入され、支持部材８２と固定部材８６とが結合される。上昇曲線状を有するがく片状の各支持部８４は、発光部材６０の各延長部６２を支持する。
【００４３】
図４及び図５を参照すると、雄蘂状の固定部材８６は、下側に延長された二つの挿入ボス８７と、固定部材８６の下面中心部に形成された溝８８と、を備えている。二つの挿入ボス８７は、発光部材６０の結合用貫通穴６１２を通過し、二つの挿入穴８２２，８３２に圧入・挿入され、発光部材６０が固定される。溝８８には、コネクター１２０の二つの接続ピン１２２に形成されたはんだ付け２０２，２０４部が収容される。
【００４４】
再び図１及び図２を参照すると、非発光装飾物９０は、下端部９２と、装飾部９４と、を備えている。円状断面を有する下端部９２は、ベース２０の上面に設けられた第２結合穴２５５に連結される。装飾部９４は、花、蝶々、ガマなどの多様な形状を有する。
【００４５】
以下、図１、図２、図５及び図６を参照して、発光装飾装置の作用を詳しく説明する。ＡＣ電源は、電源供給用電線９９を通してベース２０の回路基板３０に供給される。回路基板３０は、回路基板３０の上面に設けられたコネクター３２を通して発光装飾物４０の電線４２に連結される。インバータＩＣチップ１００は、挿入穴３２１を通過する電線を通して安定したＡＣ電源を発光部材６０に供給する。図６を参照すると、コネクター１２０の二つの接続ピン１２２のうち一つは、第１接続リング２００を通して下部電極層６４に連結され、他の一つは、第２接続リング２１０を通して透明電極層６４１に連結される。ＡＣ電流が二つの電極層の間を流れると、コーティング層６８に向かって光が発散される。初期に、第１接続リング２００は、透明電極層６４１及び下部電極層６０４に連結されるが、電流が流れる瞬間、第１接続リング付近の透明電極層６４１が損傷されて絶縁される。その結果、第１接続リング２００は、下部電極層６４のみに連結される。その反面、第２接続リング２１０付近の透明電極層６４１も一部が損傷されるが、透明電極層６４１を覆う下部電極層６４は絶縁されない。よって、導線４４及び透明電極層６４１は、互いに電気的に連結され、光が継続して発散される。
【００４６】
図９、図１０、図１１及び図１２を参照して、図４、図５及び図７に示した発光部材６０を製造方法を説明する。まず、図９の(ａ)及び図９(ｂ)に示すように、花状を有する蛍光層６６は、基板６３上に形成される。図９の(ａ)は、基板６３の平面図であり、(ｂ)は、(ａ)に示した基板のＥ-Ｅ'線断面図である。蛍光層６６は、所定の中心部６０１に形成されなく、所定の中央部６０１には、図６に示した第２接続リング２１０が挿入される。基板６３は、コーティング層６８と、透明電極層６４１と、を備えている。本実施形態のコーティング層６８は、ＰＥなどの透明プラスチック材質からなり、透明電極層６４１は、酸化インジウム錫(ＩＴＯ)フィルムからなる。
【００４７】
次に、図１０に示すように、誘電体層６５は、蛍光層６６上に形成され、蛍光層６６と同一の形状を有する。次に、図１１に示すように、銀などの伝導性に優れた材料からなる下部電極層６４は、誘電体層６５上に形成される。このとき、図１１において、(ｃ)は、平面図であり、(ａ)及び(ｂ)は、図１１のＦ-Ｆ'線及びＧ-Ｇ'線断面図である。下部電極層６４を形成した後、下部電極層６４、誘電体層６５及び蛍光層６６は、透明電極層６４１を露出するために所定領域６０１で取り除かれる。露出された透明電極層６４１には、隣接する層と離隔された連結電極層７６が形成される。連結電極層７６は、銀などの優れた伝導性の材料からなる。その反面、下部電極層６４は、図４及び図７の結合用貫通穴６１２が形成される二つの所定領域８１２１で取り除かれる。
【００４８】
次に、図１２に示したように、防湿層６４が形成される。図１２において、(ｃ)は、平面図であり、(ａ)及び(ｂ)は、図１２のＫ-Ｋ'線及びＬ-Ｌ'線断面図である。次に、防湿層６４は、図６に示した第１接続リング２００が挿入される所定領域６０１，６０２で取り除かれる。その反面、防湿層６４は、結合用挿入穴６１２が形成される他の所定領域６１２１で取り除かれる。防湿層６４は、所定位置６１２１で取り除かれるが、これに限定されるものではなく、所定領域６１２１で取り除かれないこともある。次に、図１２の(ｃ)の点線で示した花の輪郭に沿って基板を切断するための切断工程が行われ、花状の発光部材が得られる。切断工程の前後にパンチング工程を行い、二つの結合用貫通穴６１２と第１及び第２接続リング２００，２１０とが結合される二つの挿入穴を形成する。二つの挿入穴６１４，６１５が第１及び第２接続リング２００，２１０と結合されるとき、図４に示した発光部材６０が完成される。
【００４９】
図９ないし図１２の層は、誇張されて厚く示されたものである。
【００５０】
一つの花のみが図９ないし図１２の基板６３に形成されるが、大量生産のために、多数の花が基板６３上に形成されうる。
【００５１】
上記の実施形態の発光部材は、花状を有するが、これに制限されるものではなく、蝶々、とんぼ、茸、鳥、文字、数字及び記号などの多様な形状を有することもある。
【００５２】
図１５は、本発明の一実施形態による発光部材６０を示した断面図である。発光部材６０ａは、コーティング層６８と、印刷層６９と、光沢層７９と、を備えている。印刷層６９は、シルクスクリーン方法あるいはオフセット印刷方法などの印刷工程で、コーティング層６８上に花や星などの所望の形状を印刷することによって形成される。印刷層６９を形成すると、発光時に自然かつ立体的な外観を有する発光部材が得られる。光沢層７９は、無光沢素材または有光沢素材を印刷層６９上にコーティングすることによって形成される。光沢層７９を形成すると、上記した印刷の効果をさらに増加できる。発光部材６０ａの他の構成は、図６の発光部材６０と同一であるため、これに対する詳しい説明は省略する。
【００５３】
図１６は、本発明の他の実施形態による発光部材の製造方法を示している。図１６の(ａ)及び(ｂ)を参照すると、下部電極層６４の輪郭６４１１、すなわち外端部は、誘電体層６５、防湿層７４などを含む基板６３と、光沢層７９及び印刷層６９を含む他の層の輪郭の内側に形成される。その結果、下部電極層６４の輪郭６４１１と他の層７９，６９，６６，６５，７４の輪郭７４１との間に形成された点線１６に沿って切断する切断工程が行われることで、所望の花状を有する発光部材が得られる。そのようにして、下部電極層６４が露出されることを防止できる。したがって、発光部材が身体に接触するときの不快な電気的ショックを避けられる。発光部材の他の構成は、上記の実施形態と同一であるため、これに対する詳しい説明は省略する。
【００５４】
図１７及び図１８は、本発明の他の実施形態による発光部材６０ａを示している。花状を有する発光部材６０ａは、円状の中央部６１ａと、この中央部６１ａから半径方向に延長された多数の延長部６２ａと、を備えている。発光部材６０ａは、ＥＬシート６３ａと、このＥＬシート６３ａを覆う絶縁用コーティング層６８ａ，６９ａと、をさらに備えている。ＥＬシート６３ａは、基底層６４１ａと、蛍光層６６ａと、絶縁層６５ａと、伝導層６４ａと、を備えた積層構造を有する。ここで、絶縁層６５ａは、誘電体物質からなり、伝導層６４ａは、電極として機能する銀などの優れた伝導性物質からなる。蛍光層６６ａは、発光インクを印刷することによって形成される。通常、蛍光層６６ａは、ホスホレイヤー(Phospho  Layer)ともいう。他の実施形態として、絶縁層は、基底層６４１ａと蛍光層６６ａとの間に介在される。図１８では、ＥＬシート６３ａの光発散面が上側に向かうため、基底層６４１ａがＥＬシート６３ａの上部に示される。図１８の矢印は、発光部材６０ａから発光される光を示している。透明導電材質からなる基底層６４１ａは、ベース樹脂層２０２ａと、導電体膜２０４ａと、を備えている。好ましくは、ベース樹脂層２０２ａは、ＰＥＴなどのプラスチック樹脂材料からなり、導電体膜２０４ａは、ベース樹脂層２０２ａにＩＴＯを蒸着してなる酸化インジウム錫(ＩＴＯ)フィルムである。このような基底層６４１ａは、透明導電フィルムまたはＩＴＯフィルム層ともいう。このとき、図１８の各層の深さは、発光部材６０の実際の層の深さと異なる。
【００５５】
図１７及び図１８を参照すると、分離線６１１ａは、伝導層６４ａを二つの部分に分離するために形成される。この分離線６１１ａは、所定の幅を有する曲線状に形成されるが、これに制限されることなく、線状に形成されることもある。
【００５６】
図１８を参照すると、二つの印刷層１０４ａ，１０２ａは、二つのコーティング層６８ａ，６９ａにそれぞれ形成される。コーティング層６８ａ，６９ａは、ＥＬシート６３ａよりも広いため、ＥＬシート６３ａは露出されない。分離線６１１ａは、ＥＬシート６３ａの中央部６１ａに設けられた伝導層６４ａを二つの電極面６７１ａ，６７２ａに分ける。ＡＣ電圧が各導線に連結された二つの電極面６７１ａ，６７２ａの間に印加されると、光が透明電極層(基底層)６４１ａから発散される。
【００５７】
図１７を参照すると、二つの結合用貫通穴６１２ａと第１及び第２接続リング２００ａ，２１０ａは、中央部６１ａの二つの電極面６７１ａ，６７２ａに設けられる。第１及び第２接続リング２００ａ，２１０ａは、図６と同一の構造を有する。第１及び第２接続リング２００ａ，２１０ａは、発光部材６０ａの全ての層を通過する。発光部材６０ａは、図４及び図５に示した方式で電線に結合される。図１７に示してないが、電線の二つの導線は、第１接続リング２００ａ及び第２接続リング２１０ａにそれぞれ電気的に連結される。電流が第１及び第２接続リング２００ａ，２１０ａに印加されると、基底層６４１ａの導電体膜２０４ａで短絡回路が発生することもある。しかし、そのときに発生する熱により、第１及び第２接続リング２００ａ，２１０ａ付近の導電体膜２０４ａが損傷されるため、第１及び第２接続リング２００ａ，２１０ａは、導電体膜２０４ａから絶縁される。したがって、発光部材６０ａの発光に何らの影響も与えない。
【００５８】
図１９及び図２０は、本発明の他の実施形態による電線４２ａを示している。電線４２ａは、発光装飾物によって示される植物の茎に対応する。図１９は、本発明の他の実施形態による電線４２ａ及び他の連結部４６１ａを部分的に切断した斜視図であり、図２０は、図１７の電線連結部に連結される追加的な電線の断面図である。電線４２ａは、電流が流れる二つの導線４４ａと、二つの導線４４ａを覆う絶縁被覆４６ａと、を備えている。多数の連結部４６１ａは、絶縁被覆４６ａに設けられる。以下、この電線４２ａを“茎電線”という。各連結部４６１ａは、導線４４ａの延長方向にほぼ垂直の連結面４６２ａを備えている。各連結部４６１ａには、連結面４６２ａから二つの導線４４ａまでに二つの連結通路４６３ａが設けられる。後述するコネクター１５ａは、連結面４６２ａ上に装着され、コネクター１５ａの二つのリード１５２ａは、二つの連結通路４６３ａにそれぞれ挿入されて導線４４ａに電気的に接続される。植物の枝を示す追加的な電線４２ｂ(以下、“枝電線”という)は、コネクター１５ａを通して連結される。枝電線４２ｂは、茎電線４２ａよりも細いと好ましいが、これに制限されるものではない。コネクター１５ａは、直方体形状の本体１５１ａと、この本体１５１ａから下側に延長された二つのリード１５２ａと、を備えている。入口１５３ａは、本体１５１ａの上部に設けられて枝電線４２ｂを締結する。入口１５３ａの内部には、枝電線４２ｂの二つの導線４４ｂが挿入・連結されるリード１５２ａの連結部１５２１ａが設けられる。リード１５２ａは、茎電線４２ａの連結部４６１ａに設けられた連結通路４６３ａに挿入される。この挿入されたリード１５２ａの端部は、茎電線４２ａの導線４４ａに電気的に連結される。枝電線４２ｂが茎電線４２ａの連結部４６１ａに連結されないとき、キャップ１８ａは、連結部４６１ａに異物質が流れないように連結部４６１ａに結合される。キャップ１８ａは、茎電線４２ａの連結部４６１ａの連結面４６２ａを覆うカバー部１８１ａと、このカバー部１８１ａから延長された二つの脚部１８２ａと、を備えている。二つの脚部１８２ａは、各茎電線４２ａの連結部４６１ａに設けられた二つの連結通路４６３ａに挿入される。
【００５９】
本発明によると、次のような効果が得られる。発光装飾装置は、照明装置としても用いられる。また、多数の茎及び枝電線が多数の結合部を通してベースから容易に分離されるので、使用者は、自身の趣向に合わせて発光装飾装置を装飾できる。また、電線及び発光部材が堅固に組み立てられる。また、電線が発光装飾物から容易に分離されるので、各構成要素を容易に取り替えられる。併せて、ＥＬシートを用いた発光部材の製造方法によると、発光部材の多様な形状を大量生産できる。また、ＥＬシートは、防湿層を備えているため、発光装飾装置の寿命及び耐久性を増加できる。また、発光部材に所望の形状が印刷され、その上に光沢層が形成されるので、発光部材の発光時、立体的な外観が得られる。また、発光部材の伝導層が露出されないため、発光部材が身体に接するときの不快な電気的ショックを避けられる。また、異なる電源が発光部材の各グループに供給されるので、多数の発光部材から一層安定的に光が発散される。また、多数の枝電線が一つの茎電線に追加されるので、植物のような形態の発光装飾装置が単純かつ容易に得られる。
【００６０】
本発明は、上記の実施形態を例示して説明したが、本発明の趣旨や範囲から脱しない範囲で、多様な変更、修正または追加が可能である。
【図面の簡単な説明】
【００６１】
【図１】本発明の一実施形態による発光装飾装置を示した斜視図である。
【図２】(ａ)及び(ｂ)は、図１の発光装飾装置のＡ-Ａ'線及びＢ-Ｂ'断面図である。
【図３】図２の発光装飾装置の回路基板を示した斜視図である。
【図４】発光装飾装置の発光装飾物を示した分解斜視図である。
【図５】(ａ)及び(ｂ)は、発光部材と電線と結合機構との結合状態における図４の発光装飾物のＣ-Ｃ'線及びＤ-Ｄ'線断面図である。
【図６】発光部材と電線との結合部分を拡大して示した断面図である。
【図７】結合用貫通穴を示すための図４の発光装飾装置のＨ-Ｈ’線断面図である。
【図８】挿入穴に結合する前の接続リングを示した斜視図である。
【図９】図４の発光部材の製造方法を示した図である。
【図１０】図４の発光部材の製造方法を示した図である。
【図１１】図４の発光部材の製造方法を示した図である。
【図１２】図４の発光部材の製造方法を示した図である。
【図１３】本発明の一実施形態による回路基板を示した平面図である。
【図１４】本発明の他の実施形態による回路基板を示した平面図である。
【図１５】本発明の一実施形態による発光部材を示した断面図である。
【図１６】本発明の他の実施形態による発光部材の製造方法を示した図で、(ａ)は、平面図であり、(ｂ)は、発光部材の端部を拡大して示した断面図である。
【図１７】本発明の他の実施形態による発光装飾物を示した平面図である。
【図１８】図１７の発光装飾物のＣ-Ｃ'線断面図である。
【図１９】本発明の他の実施形態による電線及び他の連結部を部分的に切断して示した斜視図である。
【図２０】図１７の電線連結部に連結される追加的な電線を示した断面図である。
【図１】
2006520617.tif 000003
【図２】
2006520617.tif 000004
【図３】
2006520617.tif 000005
【図４】
2006520617.tif 000006
【図５】
2006520617.tif 000007
【図６】
2006520617.tif 000008
【図７】
2006520617.tif 000009
【図８】
2006520617.tif 000010
【図９】
2006520617.tif 000011
【図１０】
2006520617.tif 000012
【図１１】
2006520617.tif 000013
【図１２】
2006520617.tif 000014
【図１３】
2006520617.tif 000015
【図１４】
2006520617.tif 000016
【図１５】
2006520617.tif 000017
【図１６】
2006520617.tif 000018
【図１７】
2006520617.tif 000019
【図１８】
2006520617.tif 000020
【図１９】
2006520617.tif 000021
【図２０】
2006520617.tif 000022
【国際調査報告】
2006520617.tif 000023
2006520617.tif 000024